(57)【要約】【課題】  玩具に意外性を持たせて、扱う人に好奇心を起こさせるために、外部からの力無しで運動しているように見える仕掛けをするのが一つの方法である。本発明は課題を解決する方法として、家庭用交流電源を使用する電気機器の変圧部から外部に漏洩する磁力を利用して、ユーモラスな動きを行う電気機器漏電磁力利用した磁石玩具を提供する。【解決手段】  玩具本体の底部に、磁極を結ぶ方向が、電器機器変圧部の面と平行になるように磁石を固定し、玩具本体の底部に、電気機器変圧部から受けた磁力を回転、走行運動に効率よく変換するための３個以上の接地点を持つ運動変換足、又は連続して連なった運動変換足を貼付することを特徴とする電気機器漏電磁力利用した磁石玩具。【選択図】図１
2011067572.tif 000002
【特許請求の範囲】
【請求項１】
玩具本体（１）の底部に、磁極を結ぶ方向が、電器機器変圧部の面と平行になるように磁石（２）を固定した電気機器漏電磁力利用した磁石玩具。
【請求項２】
玩具本体（１）の底部に、電気機器変圧部から受けた磁力を回転、走行運動に効率よく変換するための３個以上の接地点を持つ運動変換足（３）、または連続して連なった運動変換足（３）を貼付した請求項１の電気機器漏電磁力利用した磁石玩具。
【発明の詳細な説明】
【技術分野】
【０００１】  この発明は、家庭用交流電源を使用する電気機器の変圧用部品から外部に漏洩する電磁力を利用して、ユーモラスな動きを行う電気機器漏電磁力利用した磁石玩具に関するものである。
【背景技術】
【０００２】  従来、磁石を使用した玩具には
（イ）磁性体、または磁石を、人力、または機械で動かし、それによって玩具を磁力で誘    導して運動させる。
（ロ）固定してある磁性体、または磁石に、磁石使用の玩具を人力、または機械的な力で    接近させることで、磁力を利用した動作を起こさせる。
（ハ）電気磁石を利用して、（イ）、（ロ）の運動をさせる。
などのように、玩具を運動させるためだけが目的の力や電気などのエネルギーを必    要とする。
このことは、玩具が、どういう作用で、どのように動くかということを、玩具を使    用する者が簡単に予想でき、好奇心を充分に満足させにくいものとなる。
動力がすぐにはわからない工夫をしてある磁石玩具として、次のような報告がある    。
（ニ）アラゴの円板としてしられている電磁誘導現象を利用して、アルミニウム等の磁力    吸引されない非鉄金属で形成された円板を磁石の回転により電磁誘導作用で回転させ    る回転玩具に関する報告。（特許文献１〜２）
（ホ）ファラデーの単極誘導を利用した、導電性のある永久磁石コマに通電することによ    って、初動回転と電流をあたえてやれば、回転を持続するコマの報告。（特許文献３    ）
（ヘ）磁石コマが回転することによる磁極の変化を、電磁誘導でトランスに与え、与えら    れた信号を電池とトランジスタで増幅して、トランス二次側に出力し、その磁力で磁    石コマに回転する力をあたえることで、コマの回転を持続させる技術の報告。（技術    文献１）
しかし、これらの技術は、すべて、磁石玩具を動かす目的のための電気エネルギーが必要であり、種を明かされてしまうと少し好奇心が薄らいでしまう。
また、高価な小型電池などが必要であり、経済的な玩具とはいえない。【０００３】
【特許文献１】  登録実用新案公報第３０１１３８３号公報
【特許文献２】  実開平６−５０６９９号公報
【特許文献３】  特開２００４−３４４５４４号公報
【技術文献１】
トランジスタ技術  １９９５年２月号  本田寿一、山下紀幸
【発明の概要】
【発明が解決しようとする課題】
【０００４】  玩具に意外性を持たせて、扱う人に好奇心を起こさせるために、外部からの力無しで運動しているように見える仕掛けをするのが一つの方法である。
本発明は課題を解決する方法として、家庭用交流電源を使用する電気機器の変圧部から外部に漏洩する磁力を利用して、ユーモラスな動きを行う電気機器漏電磁力利用した磁石玩具を提供する。
【課題を解決するための手段】
【０００５】（イ）玩具本体（１）の底部に、磁極を結ぶ方向が、電器機器変圧部の面と平行になるよ      うに磁石（２）を固定する。
（ロ）玩具本体（１）の底部に、電気機器変圧部から受けた磁力を回転、走行運動に効率    よく変換するための３個以上の接地点を持つ運動変換足（３）、または連続して連な    った運動変換足（３）を貼付する。
本発明は以上の構成からなることを特徴とする電気機器漏電磁力利用した磁石玩具である。【０００６】  家庭用電気機器変圧部の上で、本発明品が回転等の運動をする仕組みを説明する。
（イ）家庭用電気機器の変圧部の家庭用交流電流が流れると、入力側の一部分に交流電流    周期、もしくはレギュレーターの発する高周波の周期で磁極が変化する弱い磁界が生    じる。
このとき、家庭用電気機器の変圧部の磁極の向きが、変圧部の面と平行であれば、    磁石玩具は、そのまま、逆の磁極にひきつけられて回転する。
垂直方向であれば、以下のようになる。
（ロ）玩具本体底部に、磁極を結ぶ方向が、電器機器変圧部の面と平行になるように磁石  （２）を固定することにより、磁石玩具は、（イ）の磁界に反応して振動を行う。
振動の力を、玩具本体（１）の重心が受ける力として、水平方向、垂直方向に分解    して考えると、垂直方向の受ける力は、図４、水平方向に受ける力は図５に示すよう    になる。
水平方向に受ける力は、玩具本体（１）の重心が、楕円形に動くことを示している    。
（ハ）玩具本体（１）の底部に取り付けられた、電気機器変圧部から受けた磁力を回転、    走行運動に効率よく変換するための３個以上の接地点を持つ運動変換足、または連続    して連なった運動変換足（３）は、その接地点を結んでいくと、一つ、もしくは、複    数の円になる。
その中の一つの円の中を、（ロ）の理由から、玩具本体（１）の重心が、水平方向    では、楕円形に振動する。
円の中で、楕円形の動きが生じると、円は、回転を始める。
これは、昔ながらの玩具であるガリガリプロペラの、ぎざぎざの柄の部分を棒でこ    すると、プロペラの中心に開いた小さな円の穴の中を、振動を受けた針金が、楕円運    動をしているため、プロペラが回転するのと同じ原理である。
【発明の効果】
【０００７】  本発明品は、玩具本体（１）を、小さな磁石一個分の大きさに設定できるため、玩具を使用する人に、どういう機械装置が中に内臓されているのか見当がつかず、さらに、何を動力源にしているのかわからない。
ということで、大きな好奇心を長く与えることができる。
また、電気機器が消費する電力量によって、本発明品の動きも変化するので、予想できない動きを楽しむことができる。
また、高価な電池等使用することはないので、経済的でもある。
【図面の簡単な説明】
【０００８】
【図１】  本発明の実施例１を示した斜視図である。
【図２】  磁石玩具の下に磁極がある場合の磁石玩具の動きを表した説明図である。
【図３】  磁界変化により、磁石玩具の重心が受ける力を表した側面図である。
【図４】  磁界変化により、磁石玩具の重心が受ける力を表した平面図である。
【発明を実施するための形態】
【０００９】  本発明の各部について以下に詳細を示す。
（イ）玩具本体（１）の底部に、磁極を結ぶ方向が、電器機器変圧部の面と平行になるよ      うに磁石（２）を固定する。
（ロ）玩具本体（１）の底部に、電気機器変圧部から受けた磁力を回転、走行運動に効率    よく変換するための３個以上の接地点を持つ運動変換足（３）、または連続して連な    った運動変換足（３）を貼付する。
本発明は以上の構成からなることを特徴とする電気機器漏電磁力利用した磁石玩具である。
本発明の各部について以下に詳細を示す。
玩具本体（１）について説明する。
玩具本体（１）の構成物質については、軽量で、振動等を吸収しにくい材質が望ましい。
磁石（２）は、玩具本体（１）の底部に、磁極の方向が底部と平行になるように接着する。
【００１０】  磁石（２）について説明する。
本製品に使用する磁石（２）は、磁力は強力であるほうが、望ましい。
電化製品の漏磁界は、大きいものではないので、強力な磁石（２）で、その磁界の変化を捉える必要がある。
ただし、磁石（２）の重量が大きいものであると、電化製品の変圧部が振動してしまうため、磁石（２）の重量は十分小さいものである必要がある。
磁石（２）の大きさについては、玩具本体（１）の中に装着し、回転等の運動をするため、大きいものや、バランスの悪い形状ではないものが望ましい。
【００１１】  運動変換足（３）について説明する。
運動変換足（３）は、玩具本体（１）底部の外側に付し、本体をバランスよく支える配置にする。
そのため理論的には接地点は三点以上ということになる。
運動変換足（３）の長さについては、長ければ長いほど、磁石と漏磁界との干渉が弱くなるので、短いほうが望ましい。
ただし、あまり短すぎると、振動を回転等の運動に変換することを抑制してしまう。
０．２ｍｍから３ｍｍ位が望ましい。
材質については、制限はないが、振動を吸収しない材質が望ましい。
形状については、制限はないが、点で支える形状のものか、リング状のものが望ましい。
リング状であれば、回転運動を行う傾向にあり、複数の直線状に配置した場合、直線運動をとる傾向にある。
また、運動変換足（３）は、本体との一体成型のものでもかまわない。
【実施例１】
【００１２】  本発明の実施例を示すが、実施例により、本発明に制限が加えられるものではない。
玩具本体（１）ａの材質は、ポリ塩化ビニル、高さは、約１５ｍｍ、幅は、約８ｍｍである。
磁石（２）ａの直径は、約４ｍｍ、高さは、約３ｍｍ、磁力は、１５００ガウスである。
運動変換足（３）ａの、材質はポリプロピレン、高さは、約０．７ｍｍ、直径約５ｍｍのリング状である。
電気機器の変圧部は、パソコン用ＡＣアダプターの、一次変圧側上部面を使用する。【００１３】  実施例１の結果を説明する。
回転速度は、パソコンに通電中は、１秒間に０．５〜２回転を継続した。
消費電力は、実施例１を使用した場合もしない場合も、パソコン用ＡＣアダプターの出力電力は、電圧、１９．０Ｖ、電流１．５〜２．３Ａであった。
実施例１による消費電力は、誤差の範囲にとどまった。
パソコン用ＡＣアダプターの３０分後の発熱温度も、実施例１の使用した場合もしない場合も、同じであった。
【符号の説明】
【００１４】１  玩具本体
２  磁石
３  運動変換足
４  磁界変化により、磁石玩具の重心が受ける垂直方向の力
５  磁界変化により、磁石玩具の重心が受ける水平方向の力
６  ５により、玩具本体が回転する力
【図１】
2011067572.tif 000003
【図２】
2011067572.tif 000004
【図３】
2011067572.tif 000005
【図４】
2011067572.tif 000006